(57)【要約】【課題】簡易交換用としての使用態様においてアウターへの尿の漏れを防止するとともに、補助吸収用としての使用態様においてアウターに尿がスムーズに移行できるようにする。【解決手段】吸収体２と、吸収体２の肌側を覆うトップシート３と、吸収体２の非肌側を覆う防水シート４と、防水シート４の非肌側を覆う透液性のバックシート５とを備える。防水シート４の吸収体２より幅方向外側に延在する部分に、長手方向に沿って引裂可能な引裂線８を備える。吸収体２の非肌側に防水シート４が介在する簡易交換用の使用態様において、吸収体２と重なる位置に引裂線８が形成されないため、引裂線８を通じた漏れが防止でき、引裂線８が直接アウター３０に接しないため、使用中の防水シート４の裂けが防止できる。吸収体２の非肌側に防水シート４が介在しない補助吸収用の使用態様において、引裂線８から引き裂いて簡単に防水シート４を引き抜くことができる。【選択図】図３
2018033684.tif 000002
【特許請求の範囲】
【請求項１】
吸収体と、前記吸収体の肌側を覆う透液性のトップシートと、前記吸収体の非肌側を覆う防水シートと、前記防水シートの非肌側を覆う透液性のバックシートとを備え、
前記防水シートの前記吸収体より幅方向外側に延在する部分に、長手方向に沿って引裂可能な引裂線が形成されていることを特徴とする吸収性物品。
【請求項２】
前記防水シートは、少なくとも前記吸収体より長手方向外側に延在する部分が、前記トップシート側に設けられた粘着剤層に剥離可能に接着されている請求項１記載の吸収性物品。
【請求項３】
吸収性物品の長手方向端縁から所定の離間距離をあけた内側に前記粘着剤層が形成され、前記粘着剤層より吸収性物品の長手方向外側に、前記防水シートを前記トップシート側に接着しない摘み部が形成されている請求項２記載の吸収性物品。
【請求項４】
前記バックシートに前記防水シートを摘み出すための開口が設けられている請求項１〜３いずれかに記載の吸収性物品。
【発明の詳細な説明】
【技術分野】
【０００１】
本発明は、使い捨ておむつ、失禁パンツ、おむつカバーなどのアウターの内面に装着して使用される尿取りパッド、失禁パッドなどの吸収性物品に係り、詳しくは非肌側が不透液性とされた簡易交換用としての使用態様と、非肌側が透液性とされた補助吸収用としての使用態様とを選択可能とした吸収性物品に関する。
【背景技術】
【０００２】
従来より、使い捨ておむつなどのアウターの内面に装着して使用される尿取りパッドなどのインナーパッドとして、前記簡易交換用としての使用態様と、前記補助吸収用としての使用態様の２通りがあることが知られている。前記簡易交換用としての使用態様では、頻繁に使い捨ておむつを交換する手間を軽減するとともに、おむつの購入費用を削減することなどを目的として、尿を吸収したインナーパッドのみを交換して使い捨ておむつを繰り返し使用できるように、吸収体に吸収された尿のアウター側への漏れを防止するため、インナーパッドの非肌側が不透液性のシート材で覆われている。この簡易交換用のインナーパッドは、昼間などパッドを頻繁に交換できるときに主に使用されている。
【０００３】
一方、前記補助吸収用としての使用態様では、使い捨ておむつなどのアウターの吸収能力を増大させることなどを目的として、使い捨ておむつの内面に積層して使用し、吸収体に吸収された尿が速やかに使い捨ておむつの吸収体に移行するように、インナーパッドの非肌側が透液性のシート材で覆われている。この補助吸収用のインナーパッドは、就寝時などパッドを長時間に亘って交換できないときに主に使用されている。
【０００４】
このように、前記簡易交換用としての使用態様ではアウターに尿が溢れ出ないことが要求される一方で、前記補助吸収用としての使用態様ではインナーパッド及びアウターの各吸収体の吸収性能を有効に活用するため、インナーパッドからアウター側に尿がスムーズに移行することが要求されている。このように、簡易交換用としての使用態様と補助吸収用としての使用態様とでは、相反する性能が要求されることとなる。
【０００５】
従来のインナーパッドでは、非肌側のシート材を不透液性とするか透液性とするかによって、何れか一方の機能を備えることしかできなかったため、使用者は各機能に応じたパッドを２種類用意しておかなければならなかった。
【０００６】
ところが近年では、このようなパッドにも幾多の改良が重ねられ、１つのパッドで簡易交換用としての使用態様と、補助吸収用としての使用態様とを選択可能としたものが提案されている。例えば、下記特許文献１では、内面側に液透過性のトップシートが、内部に前記トップシートを通過した液を吸収する吸収コアが、外面側に液不透過性のバックシートが設けられ、前記バックシートには、前記吸収コアを透過した液を通過させる開口部が形成されている吸収性物品が開示されている。
【０００７】
また、下記特許文献２では、液透過性のトップシートと、液不透過性のバックシートと、これら両シートの間に配置された吸収体を有する吸収性物品において、前記バックシートに線状の引裂線を形成する分離手段を具備したことにより、前記バックシートに開口部を形成することができる吸収性物品が開示されている。
【先行技術文献】
【特許文献】
【０００８】
【特許文献１】特許第３７５６０００号公報
【特許文献２】特許第４０２３００５号公報
【発明の概要】
【発明が解決しようとする課題】
【０００９】
しかしながら、上記特許文献１に記載の吸収性物品では、液不透過性のバックシートに液を通過させる開口部が形成され、この開口部を塞ぐための被覆シートが設けられているため、資材コストや製造コストが嵩む要因となるとともに、アウターの表面に固定するための粘着剤層の配設領域が前記開口部や被覆シートの配設領域以外の領域に制限されていた。また、前記被覆シートを取り除いてバックシートの開口部を開口させた補助吸収用としての使用態様において、インナーパッドからアウターへの尿の移行が前記開口部を通じてしか行われないため、尿がスムーズに移行できない欠点があった。
【００１０】
また、上記特許文献２に記載の吸収性物品では、バックシートに線状の切れ目を形成する分離手段を具備しているが、この切れ目が形成されたバックシートがアウターの表面に直に接するため、装着時にバックシートの切れ目が裂けやすく、簡易交換用として使用したときの漏れが問題となっていた。
【００１１】
そこで本発明の主たる課題は、簡易交換用としての使用態様においてアウターへの尿の漏れを防止するとともに、補助吸収用としての使用態様においてアウターに尿がスムーズに移行できるようにした吸収性物品を提供することにある。
【課題を解決するための手段】
【００１２】
上記課題を解決するために請求項１に係る本発明として、吸収体と、前記吸収体の肌側を覆う透液性のトップシートと、前記吸収体の非肌側を覆う防水シートと、前記防水シートの非肌側を覆う透液性のバックシートとを備え、
前記防水シートの前記吸収体より幅方向外側に延在する部分に、長手方向に沿って引裂可能な引裂線が形成されていることを特徴とする吸収性物品が提供される。
【００１３】
上記請求項１記載の発明では、肌側からトップシート、吸収体、防水シート、バックシートの順に配設された吸収性物品において、前記防水シートの吸収体より幅方向外側に延在する部分に、長手方向に沿って引裂可能な引裂線を形成することによって、吸収性物品の使用態様に応じて、吸収体とバックシートとの間に介在された防水シートを引き抜きできるようにしている。具体的には、非肌側を不透液性とした簡易交換用の使用態様では、吸収体とバックシートとの間に防水シートが介在された状態のままでアウターに装着することにより、防水シートの引裂線が吸収体と重なる位置に形成されていないため、引裂線を通じた漏れが防止できるとともに、前記引裂線が形成された防水シートの外面がバックシートで覆われているため、引裂線が直接アウターに接することがなくなり、使用中に引裂線から防水シートが裂けるのが防止できるようになる。また、非肌側を透液性とした補助吸収用の使用態様では、前記防水シートを引裂線から引き裂きながら、簡単に防水シートを引き抜くことができるとともに、吸収体と重なる部分の全ての防水シートが取り除かれるため、アウターに尿がスムーズに移行できるようになる。
【００１４】
請求項２に係る本発明として、前記防水シートは、少なくとも前記吸収体より長手方向外側に延在する部分が、前記トップシート側に設けられた粘着剤層に剥離可能に接着されている請求項１記載の吸収性物品が提供される。
【００１５】
上記請求項２記載の発明では、少なくとも吸収体より長手方向の両端部において、前記防水シートがトップシート側に設けられた粘着剤層に剥離可能に接着されているため、簡易交換用としての使用態様においては、長手方向の端部から尿が漏れ出すことを防止でき、補助吸収用としての使用態様においては、防水シートが取り除かれた後、トップシート側に設けられた粘着剤層がバックシートに接着することによって、バックシートがトップシート及び吸収体から浮くことを防止でき、装着時のズレが生じ難くなる。
【００１６】
請求項３に係る本発明として、吸収性物品の長手方向端縁から所定の離間距離をあけた内側に前記粘着剤層が形成され、前記粘着剤層より吸収性物品の長手方向外側に、前記防水シートを前記トップシート側に接着しない摘み部が形成されている請求項２記載の吸収性物品が提供される。
【００１７】
上記請求項３記載の発明では、吸収性物品の長手方向端縁から所定の離間距離をあけた内側に前記粘着剤層を形成し、この粘着剤層の外側に、防水シートをトップシート側に接着しない摘み部を形成しているため、補助吸収用として使用するのに防水シートを取り除く際、前記摘み部から防水シートを容易に摘むことができるようになる。
【００１８】
請求項４に係る本発明として、前記バックシートに前記防水シートを摘み出すための開口が設けられている請求項１〜３いずれかに記載の吸収性物品が提供される。
【００１９】
上記請求項４記載の発明では、前記バックシートに前記防水シートを摘み出すための開口を設けることによって、この開口から防水シートを摘んで簡単に引き出すことができるようになる。
【発明の効果】
【００２０】
以上詳説のとおり本発明によれば、簡易交換用としての使用態様においてアウターへの尿の漏れが防止できるとともに、補助吸収用としての使用態様においてアウターに尿がスムーズに移行できるようになる。
【図面の簡単な説明】
【００２１】
【図１】インナーパッド１の使用状態（アウター３０への装着状態）を示す展開図である。
【図２】図１のII−II線矢視図である。
【図３】本発明に係るインナーパッド１の一部破断展開図（簡易交換用としての使用態様）である。
【図４】図３のIV−IV線矢視図である。
【図５】防水シート４の引き抜き要領を示すインナーパッド１の斜視図である。
【図６】補助吸収用としての使用態様を示すインナーパッド１の展開図である。
【図７】図６のVII−VII線矢視図である。
【図８】第２形態例に係るインナーパッド１Ａの展開図である。
【図９】図８のIX−IX線矢視図である。
【図１０】第３形態例に係るインナーパッド１Ｂの展開図である。
【図１１】第４形態例に係るインナーパッド１Ｃの展開図である。
【発明を実施するための形態】
【００２２】
以下、本発明の実施の形態について図面を参照しながら詳述する。なお、本発明における「長手方向」とは、インナーパッド１の前側と後側を結ぶ方向を意味し、「幅方向」とは長手方向と直交する方向（インナーパッド１の展開時の左右方向）を意味する。
【００２３】
本発明に係るインナーパッド１は、図１及び図２に示されるように、使い捨ておむつ、失禁パンツ、おむつカバーなどのアウター３０の内面に装着して使用されるものであり、具体的には尿取りパッドや失禁パッドなどとして知られるものである。
【００２４】
前記アウター３０（使い捨ておむつ）は、図１及び図２に示されるように、不織布などからなる透液性トップシート３１と、バックシート３２との間に、綿状パルプ等からなる吸収体３３を介在させた構造から成る。より具体的には、有孔または無孔の不織布や孔開きプラスチックシート等からなり使用面側を覆う透液性トップシート３１と、不織布からなりおむつの外面側を覆うとともに、おむつ両側部では後述のギャザーシート３５とともにサイドフラップ部を構成するバックシート３２と、前記透液性トップシート３１とバックシート３２との間に介在された、綿状パルプ等からなる、たとえば砂時計形状（または長方形状等）のある程度の剛性を有する吸収体３３と、前記吸収体３３とバックシート３２との間に少なくとも吸収体３３の全面積を覆うように配設されたポリエチレン等からなる防水フィルム３４と、アウター３０の両側部に肌側に起立する立体ギャザー３６、３６を形成するとともに、おむつ両側部では前記バックシート３２とともにサイドフラップ部を構成するためのギャザーシート３５とから主に構成されている。なお、前記吸収体３３は、形状保持と透液性トップシート３１を透過した体液の拡散性向上のためにクレープ紙や不織布等からなる被包シートによって囲繞されているのが好ましい。
【００２５】
〔第１形態例〕
第１形態例に係るインナーパッド１は、図３及び図４に示されるように、綿状パルプ等からなり、たとえば略砂時計状のある程度の剛性を有するとともに、必要に応じてクレープ紙や不織布等からなる被包シートによって囲繞された吸収体２と、前記吸収体２の肌側（表面側）を覆うように配設された有孔または無孔の不織布や孔開きプラスチックシート等からなる透液性のトップシート３と、前記吸収体２の非肌側を覆うように配設されたポリエチレン等からなる不透液性の防水シート４と、前記防水シート４の非肌側（裏面側）を覆うように配設された有孔または無孔の不織布や孔開きプラスチックシート等からなる透液性のバックシート５とから主に構成され、好ましくは前記吸収体２と防水シート４との間に、親水性の不織布からなるセカンドシート６が配設されている。また、前記吸収体２の周囲の所定領域において、その吸収体２の外縁よりも外側に延出しているトップシート３、防水シート４、バックシート５及びセカンドシート６がホットメルトなどの接着剤やヒートシール、超音波シール等の接合手段によって接合され、外周に吸収体２の存在しない外周フラップ部が形成されている。
【００２６】
前記インナーパッド１は、アウター３０の前側領域から後側領域に亘る製品長とされるとともに、アウター３０の立体ギャザー３６、３６間に配置可能であって、アウター３０の吸収体３３より小さな寸法幅で形成されている。
【００２７】
前記吸収体２は、たとえばフラッフ状パルプと高吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。吸収体２を囲繞するクレープ紙を設ける場合には、結果的にトップシート３と吸収体２との間にクレープ紙が介在することになり、吸収性に優れる前記クレープ紙によって体液を速やかに拡散させるとともに、これら尿の逆戻りを防止するようになる。
【００２８】
前記吸収体２は、図示例では平面形状を略長方形状として成形されたものを使用しているが、股下部で吸収体の幅寸法を狭めた略砂時計状として成形されたものを使用することにより、股間部への当たりを弱くし着用者にゴワ付き感を与えないようにしてもよい。この吸収体２は、形状保持とトップシート３を透過した体液の拡散性向上のために前記被包シートによって被包されているのが好ましい。
【００２９】
前記吸収体２の肌側（上層側）を覆う透液性のトップシート３としては、液を透過する性質を有し、例えば、有孔または無孔の不織布や多孔性プラスチックシートなどが好適に用いられる。不織布を構成する素材繊維は特に限定されない。例えば、ポリエチレンまたはポリプロピレン等のオレフィン系、ポリエステル系、ポリアミド系等の合成繊維の他、レーヨンやキュプラ等の再生繊維、綿等の天然繊維などや、これらから二種以上が使用された混合繊維、複合繊維などを例示することができ、スパンレース法、スパンボンド法、サーマルボンド法、メルトブローン法、ニードルパンチ法、エアスルー法、ポイントボンド法等の適宜の加工法によって得られた不織布を用いることができる。これらの加工法の内、スパンレース法は柔軟性、スパンボンド法はドレープ性に富む点で優れ、サーマルボンド法、ポイントボンド法及びエアスルー法は嵩高で圧縮復元性（＝ソフト性）が高い点で優れている。また、トップシート３は、１枚のシートから成るものであっても、２枚以上のシートを貼り合わせて得た積層シートから成るものであってもよい。透液性トップシート３に多数の透孔を形成した場合には、尿などが速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００３０】
前記吸収体２の非肌側（下層側）を覆う防水シート４は、特に限定されるものではないが、例えば、ポリエチレンまたはポリプロピレンなどのオレフィン系樹脂等からなるプラスチックフィルムや不織布の表面にプラスチックフィルムを設けたラミネート不織布、プラスチックフィルムに不織布等を重ねて接合した積層シートなどを例示することができるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。この他にも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも用いることができる。前記防水シート４の外縁は、インナーパッド１の外縁とほぼ一致している。
【００３１】
前記防水シート４の非肌側（下層側）を覆うバックシート５は、上記透液性のトップシート３と同様に、有孔または無孔の不織布や多孔性プラスチックシートなどが好適に用いられる。不織布を構成する素材繊維は特に限定されない。例えば、ポリエチレンまたはポリプロピレン等のオレフィン系、ポリエステル系、ポリアミド系等の合成繊維の他、レーヨンやキュプラ等の再生繊維、綿等の天然繊維などや、これらから二種以上が使用された混合繊維、複合繊維などを例示することができ、スパンレース法、スパンボンド法、サーマルボンド法、メルトブローン法、ニードルパンチ法、エアスルー法、ポイントボンド法等の適宜の加工法によって得られた不織布を用いることができる。これらの加工法の内、スパンレース法は柔軟性、スパンボンド法はドレープ性に富む点で優れ、サーマルボンド法、ポイントボンド法及びエアスルー法は嵩高で圧縮復元性（＝ソフト性）が高い点で優れている。前記バックシート５は、インナーパッド１の最外面を構成する。前記バックシート５の外面側には、図示しないが、アウター３０の内面とのズレ止めを図るための粘着剤層を設けるのが好ましい。前記バックシート５の外縁は、インナーパッド１の外縁とほぼ一致している。
【００３２】
前記吸収体２と防水シート４との間に配設される親水性不織布からなるセカンドシート６は、無孔シートの他、多数の開孔が形成された多孔シートを用いることができる。前記親水性不織布としては、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることにより親水性を有するようにしたものを好適に用いることができる。前記セカンドシート６の外縁は、インナーパッド１の外縁とほぼ一致しており、少なくとも吸収体２の外縁より外側に延在する部分が、好ましくは前記セカンドシート６の全面が前記トップシート３及び吸収体２とホットメルト接着剤などの接合手段によって接合されている。このセカンドシート６は、設けなくてもよいが、後段で詳述するように防水シート４を取り除いた際に、吸収体２をトップシート３とセカンドシート６との間に保持する、吸収体２からのパルプ繊維やポリマーのこぼれを防止するなどの観点から設けるのが望ましい。
【００３３】
前記防水シート４及びバックシート５は、前記吸収体２より幅方向外側に延在する部分に前記インナーパッド１の両側縁に沿うとともに長手方向のほぼ全長に亘って連続的又は間欠的に設けられた、ホットメルトなどの接着剤やヒートシール、超音波シールなどからなる接合部７で肌側のシート材（セカンドシート６）に接合されている。前記接合部７は、各シート間が容易に剥離しないように強固に固着された構造用接合部である。すなわち、前記防水シート４は、前記接合部７のみで肌側に隣接して配置されたセカンドシート６に固着され、その他の部分では固着されていない。また、前記バックシート５も同様に、前記接合部７のみで肌側に隣接して配置された防水シート４に固着され、その他の部分では固着されていない。なお、ここでいう「固着され」とは、前記接合部７のような構造用接合部で剥離不能に強固に接合されたことを意味し、後段で詳述する粘着剤層９による剥離可能な接合は含まない。前記接合部７は、後段で詳述する引裂線８より外側の領域にのみ設けられ、引裂線８より内側の領域にはこれらのシートを固着した部分が設けられていない。
【００３４】
本インナーパッド１では、前記防水シート４の吸収体２より幅方向外側に延在する部分に、長手方向に沿って引裂可能な引裂線８が形成されていることが特徴的である。前記引裂線８は、ミシン目、スリット、切り込み線、圧縮線などの公知の技術で形成される線状弱化領域であり、特に、タイ：カット＝１〜５ｍｍ：２〜５ｍｍのミシン目であることが好ましい。前記引裂線８は、防水シート４のみに形成され、他のシート材には形成されていない。前記引裂線８は、防水シート４が吸収体２の外縁よりも外側に延出した部分に形成され、前記吸収体２と重なる部分には形成されていない。前記引裂線８は、防水シート４の全長に亘って、すなわち防水シート４の前側端縁と後側端縁とを結ぶ長手方向に設けられている。前記引裂線８は、前記接合部７より幅方向内側に形成されている。
【００３５】
以上の構成からなる本インナーパッド１では、防水シート４の吸収体２より幅方向外側に延在する部分に、長手方向に沿って引裂可能な引裂線８が形成されているため、インナーパッド１の使用態様に応じて、セカンドシート６とバックシート５との間に介在された防水シート４を引き抜きできるようにしている。
【００３６】
具体的には、非肌側を不透液性とした簡易交換用の使用態様では、セカンドシート６とバックシート５との間に防水シート４が介在された状態のままでアウター３０に装着する。このとき、防水シート４の引裂線８が吸収体２と重なる位置に形成されていないため、引裂線８を通じた漏れが防止できるとともに、引裂線８が形成された防水シート４の外面がバックシート５で覆われているため、引裂線８が直接アウター３０に接することがなくなり、使用中に引裂線８から防水シート４が裂けるのが防止できるようになる。
【００３７】
一方、非肌側を透液性とした補助吸収用の使用態様では、アウター３０への装着前に防水シート４を取り除く作業を行う。防水シート４を取り除くには、図５に示されるように、バックシート５と防水シート４との間の長手方向一方側端縁に形成された開口部から手を突っ込み、他方側の防水シート４の端縁を摘むとともに、反対側の手で他方側のトップシート３及びセカンドシート６の積層部分の端縁を摘んで、両側の引裂線８、８で防水シート４を引き裂きながら、防水シート４を摘んだ手を引き抜くことによって、防水シート４を容易に取り除くことができる（図６及び図７）。なお、この方法に代えて、長手方向の一方側端縁において、それぞれの手で防水シート４の端縁とトップシート３及びセカンドシート６の積層部分の端縁とを摘み、両側の引裂線８を引き裂きながら防水シート４を引き抜くことによって防水シート４を取り除くようにしてもよい。
【００３８】
また、補助吸収用の使用態様では、図６及び図７に示されるように、前記引裂線８が吸収体２の外縁より外側に形成されているため、吸収体２と重なる部分の全ての防水シート４が取り除かれるようになる。このため、インナーパッド１からアウター３０への尿の移行がスムーズに行われる。
【００３９】
前記防水シート４は、前記吸収体２より長手方向外側に延在する部分が、トップシート３側（防水シート４のトップシート３側に隣接するセカンドシート６）に設けられた粘着剤層９に剥離可能に接着されているのが好ましい。これにより、簡易交換用としての使用態様においては、前記粘着剤層９で堰き止められて長手方向の端部から尿が漏れ出すことを防止できる。一方、補助吸収用としての使用態様においては、防水シート４が取り除かれた後、セカンドシート６に設けられた粘着剤層９がバックシート５に接着することによって、バックシート５がセカンドシート６から浮くことを防止でき、装着時のズレが生じ難くなる。前記粘着剤層９は、両側の引裂線８、８間のほぼ全幅に亘って、インナーパッド１の幅方向に沿う線状又は帯状に形成されている。
【００４０】
前記粘着剤層９を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００４１】
前記粘着剤層９は、インナーパッド１の長手方向端縁から所定の離間距離をあけた内側に形成され、その外側は前記防水シート４をセカンドシート６に接着しない摘み部１０とするのが好ましい。この摘み部１０は、防水シート４を引き抜く際に、防水シート４の長手方向端縁を手で摘むための部分である。前記摘み部１０の大きさは、手で摘みやすい大きさであればよいが、インナーパッド１の長手方向端縁から長手方向の内側に向けて１０〜１５ｍｍの長さで設けるのが好ましい。
【００４２】
〔第２形態例〕
第２形態例に係るインナーパッド１Ａは、図８及び図９に示されるように、バックシート５に防水シート４を摘み出すための開口１１が設けられている点で、上記第１形態例に係るインナーパッド１と相違する。前記開口１１は、バックシート５が厚み方向に貫通する部分であり、この開口１１からはバックシート５の肌側に隣接して配置された防水シート４が臨んでいる。この開口１１は、非肌側を透液性とした補助吸収用のインナーパッド１Ａとして使用する際に、該開口１１から臨む防水シート４を摘んで、両側の引裂線８で引き裂きながら引き出すためのものである。これによって、より簡単に防水シート４を引き抜くことができるようになる。
【００４３】
前記開口１１は、インナーパッド１Ａの略中央部に設けるのが好ましい。前記開口１１の大きさは、この開口１１から防水シート４が容易に摘み出せる大きさであればよいが、３０〜１００ｍｍ、好ましくは５０〜７０ｍｍとするのがよい。前記開口１１の平面形状は、図示例では円形であるが、楕円形や多角形などで形成することもできる。
【００４４】
〔第３形態例〕
第３形態例に係るインナーパッド１Ｂは、図１０に示されるように、第２形態例に係るインナーパッド１Ａと比較して、前記粘着剤層９の形成範囲が相違する。具体的には、本インナーパッド１Ｂでは、前記粘着剤層９は、パッド長手方向の端縁から所定の離間距離をあけた内側にパッド幅方向に沿って形成された粘着剤層９ａ、９ａと、前記開口１１の両側にそれぞれ、パッド長手方向に沿うとともに、前後の粘着剤層９ａ、９ａ間に亘って、１条又はパッド幅方向に離間する複数条の粘着剤層９ｂ、９ｂ…とから構成されている。前記粘着剤層９ａ、９ｂを設けることにより、吸収体２の非肌側に防水シート４が介在する簡易交換用の使用態様において、防水シート４とセカンドシート６とのズレや浮きが防止できるとともに、吸収体２の非肌側に防水シート４が介在しない補助吸収用の使用態様において、バックシート５とセカンドシート６とのズレや浮きが防止できるようになる。前記粘着剤層９は、開口１１部分には設けないのが好ましい。
【００４５】
なお、前記粘着剤層９ａ及び９ｂを設ける形態は、前記開口１１が形成されない上記第１形態例に係るインナーパッド１にも同様に採用することが可能である。
【００４６】
〔第４形態例〕
上記形態例では、吸収体２より幅方向外側に延在する両側部にそれぞれ、防水シート４及びバックシート５をセカンドシート６に固着する接合部７を設けるとともに、接合部７の内側に防水シート４の引裂線８を形成し、長手方向の端部には構造用接合部及び引裂線を設けないようにしていたが、第４形態例に係るインナーパッド１Ｃでは、図１１に示されるように、バックシート５に防水シート４を摘み出すための開口１１を設ける条件の下で、吸収体２より長手方向外側に延在する両端部にそれぞれ、防水シート４及びバックシート５をセカンドシート６に固着する第２接合部１２を設けるとともに、この第２接合部の内側に両側の引裂線８、８の端部同士を繋ぐように防水シート４の第２引裂線１３を設けてもよい。
【００４７】
この場合、防水シート４を引き抜くには、前記開口１１から防水シート４の中央部を摘んで、周囲の引裂線８及び第２引裂線１３で引き裂きながら引き抜くようにする。
【００４８】
本インナーパッド１Ｃでは、周囲が接合部７及び第２接合部１２で接合されることにより、バックシート５のズレや浮きが防止できる。なお、図示しないが、適宜の形態でセカンドシート６の非肌側に粘着剤層９を設けることにより、セカンドシート６と防水シート４とのズレや浮きを防止するとともに、セカンドシート６とバックシート５とのズレや浮きを防止するのが好ましい。
【符号の説明】
【００４９】
１…インナーパッド、２…吸収体、３…トップシート、４…防水シート、５…バックシート、６…セカンドシート、７…接合部、８…引裂線、９…粘着剤層、１０…摘み部、１１…開口、１２…第２接合部、１３…第２引裂線、３０…アウター
【図１】
2018033684.tif 000003
【図２】
2018033684.tif 000004
【図３】
2018033684.tif 000005
【図４】
2018033684.tif 000006
【図５】
2018033684.tif 000007
【図６】
2018033684.tif 000008
【図７】
2018033684.tif 000009
【図８】
2018033684.tif 000010
【図９】
2018033684.tif 000011
【図１０】
2018033684.tif 000012
【図１１】
2018033684.tif 000013